(57)【特許請求の範囲】
【請求項１】
軸部と、該軸部先端に固持される塗布部とから構成され、
該軸部は、塗布部の被固持部を固持してなる固持部を先端に形成し、
該塗布部は、塗布する部分に押し付けることで該塗布する部分に合わせて変形して密着する塗布面と、塗布部分割体を一体とした際に被固持部をなす被固持部分とを一体成形する別体である複数の塗布部分割体において、各々塗布面同士及び被固持部分同士を合わせるようにして一体として成形するものであって、
上記複数の塗布部分割体を一体とすることで成形される被固持部を軸部先端の固持部内で固持すること
を特徴とする液体化粧料塗布具。
【請求項２】
上記一体としてなる複数の塗布部分割体のうち、少なくとも一つの塗布部分割体の塗布面には孔を穿設してなること
を特徴とする請求項１記載の液体化粧料塗布具。
【請求項３】
上記一体としてなる複数の塗布部分割体のうち、少なくとも一つの塗布部分割体の塗布面を曲面状又は略半球面状としてなること
を特徴とする請求項１又は２記載の液体化粧料塗布具。
【請求項４】
上記一体としてなる複数の塗布部分割体の塗布面において、少なくとも一つの塗布面の材質、形状、色彩、硬度、又は表面加工を他の塗布面と相違させてなること
を特徴とする請求項１乃至３のうち、いずれか一つに記載の液体化粧料塗布具。
【請求項５】
上記一体としてなる複数の塗布部分割体の塗布面における表面加工として静電植毛を施してなること
を特徴とする請求項１乃至３のうち、いずれか一つに記載の液体化粧料塗布具。
【発明の詳細な説明】
【技術分野】
【０００１】
本願発明は、例えば、リップグロス等の液体化粧料を塗布する液体化粧料塗布具に関する。
【背景技術】
【０００２】
従来、例えば、リップグロス等の液体化粧料を塗布する液体化粧料塗布具として、繊維を束ねる筆や刷毛からなるものが一般的である（特許文献１参照）。
【０００３】
ところで、例えば液体化粧料であるリップグロスでは、唇の表面に万遍なく艶を生じさせるために、唇全面にわたって、確実に塗布することが必要とされる。
その上、使用者の使用感、塗布すべきリップグロス等の液体化粧料における粘度等の性状、及びリップグロス等の液体化粧料を塗布すべき唇等の表面状態も様々である。
そのため、リップグロスを塗布する液体化粧料塗布具が繊維を束ねる筆や刷毛からなるもののみでは、多様な使用者の使用感、塗布すべきリップグロスの性状、及び該リップグロスを塗布する唇の表面状態に十分に対応することができず、リップグロスを確実に塗布することができないおそれがある。
【先行技術文献】
【特許文献】
【０００４】
【特許文献１】特開２００８−２３０１３号公報
【発明の概要】
【発明が解決しようとする課題】
【０００５】
解決しようとする問題点は、多様な使用者の使用感、塗布すべきリップグロス等の液体化粧料の性状、又は該リップグロス等の液体化粧料を塗布すべき部分の表面状態に対応できず、リップグロス等の液体化粧料を確実に塗布することができない点である。
【課題を解決するための手段】
【０００６】
第１の特徴として、
軸部と、該軸部先端に固持される塗布部とから構成され、
該軸部は、塗布部の被固持部を固持してなる固持部を先端に形成し、
該塗布部は、塗布する部分に押し付けることで該塗布する部分に合わせて変形して密着する塗布面と、塗布部分割体を一体とした際に被固持部をなす被固持部分とを一体成形する別体である複数の塗布部分割体において、各々塗布面同士及び被固持部分同士を合わせるようにして一体として成形するものであって、
上記複数の塗布部分割体を一体とすることで成形される被固持部を軸部先端の固持部内で固持するものである。
【０００７】
そのため、リップグロス等の液体化粧料は、塗布面の表面に保持される。そして、塗布する部分に塗布部を押しつけると、該塗布部は塗布すべき部分に合わせて変形して密着する。その結果、塗布部を形成する塗布面に保持されているリップグロス等の液体化粧料を塗布することができる。
【０００８】
このとき、塗布部は、各々塗布面と被固持部をなす被固持部分とを一体に成形する複数の塗布部分割体から形成されるものである。その結果、使用者の使用感、リップグロス等の液体化粧料の性状、及び該リップグロス等の液体化粧料を塗布する表面状態に合わせて塗布部を形成することによって、塗布部はリップグロス等の液体化粧料を塗布すべき部分に対して確実に塗布することができるものとなる。
【０００９】
ここで、塗布体を形成する複数の塗布部分割体は、軸部の固持部内において一体に固持するものであるが、別体の塗布部分割体を各々固持部に固持するだけでなく、別体の塗布部分割体をあらかじめ接着、溶着等によって一体とした上で固持部内に固持するものとしても良いものである。
【００１０】
第１の特徴を踏まえて、第２の特徴として、
上記一体としてなる複数の塗布部分割体のうち、少なくとも一つの塗布部分割体の塗布面には孔を穿設してなるものである。
【００１１】
そのため、塗布面に穿設される孔内にリップグロス等の液体化粧料は貯留するものである。その結果、塗布部において保持されるリップグロス等の液体化粧料の量は増大するので、塗布すべき部分においてリップグロス等の液体化粧料をより広範囲にわたって確実に塗布することができる。
【００１２】
第１の特徴及び第２の特徴を踏まえて、第３の特徴として、
上記一体としてなる複数の塗布部分割体のうち、少なくとも一つの塗布部分割体の塗布面を曲面状又は略半球面状としてなるものである。
【００１３】
そのため、塗布部内に大容量の中空部が形成されるので、リップグロス等の液体化粧料を多量に貯留することができる。その結果、塗布すべき部分においてリップグロス等の液体化粧料を広範囲にわたって、厚く、しかも確実に塗布することができる。
【００１４】
第１の特徴乃至第３の特徴を踏まえて、第４の特徴として、
上記一体としてなる複数の塗布部分割体の塗布面において、少なくとも一つの塗布面の材質、形状、色彩、硬度、又は表面加工を他の塗布面と相違させてなるものである。
【００１５】
そのため、異なる材質、形状、色彩、硬度又は表面加工の塗布面からなる塗布部分割体によって形成される塗布部は、使用者の使用感を向上させ、使用者に対し塗布面を明示し、塗布するリップグロス等の液体化粧料の性状、及び塗布すべき部分の表面状態に対応することができるように最適なものとなるので、確実に塗布作業を行うことができる。
【００１６】
なお、塗布部の硬度を変えるにあたって、例えば塗布部を柔軟なものとするためには軟質樹脂、エラストマー、発泡材、ゴム、又は多孔質材等が適当であるが、塗布する部分に対する適度な反発性を確保するために硬い材質を組み合わせるものであっても良い。また、塗布面に対する表面加工には、例えばエンボス加工等がある。
【００１７】
第１の特徴乃至第３の特徴を踏まえて、第５の特徴として、
上記一体としてなる複数の塗布部分割体の塗布面における表面加工として静電植毛を施してなるものである。
【００１８】
そのため、特に塗布面に対して静電植毛を施して植毛部を形成することで、該植毛部は塗布すべき部分の細部にまで入り込むことができる。その結果、リップグロス等の液体化粧料を万遍なく、確実に塗布することができる。
【発明の効果】
【００１９】
本願発明では、液体化粧料塗布具の塗布部を複数の塗布部分割体により一体に形成し、しかも塗布面の材質、形状、色彩、硬度又は表面加工材質を多様なものとすることができるので、使用者の使用感、塗布すべきリップグロス等の液体化粧料の性状、及び塗布すべき部分の表面状態に合わせて、液体化粧料塗布具の塗布部は最適なものとなるので、リップグロス等の液体化粧料の塗布作業を円滑、且つ確実に行うことができる優れた効果を有するものである。
【図面の簡単な説明】
【００２０】
【図１】図１は、本願発明の実施例１における液体化粧料塗布具を具える液体化粧料塗布容器の拡大縦断面図である。
【図２】図２は、本願発明の実施例１におけるキャップに保持される液体化粧料塗布具の拡大正面図である。
【図３】図３は、本願発明の実施例１におけるキャップに保持される液体化粧料塗布具の拡大側面図である。
【図４】図４は、本願発明の実施例１における液体化粧料塗布具の製造工程を示す模式図である。
【図５】図５（イ）は本願発明の実施例２における液体化粧料塗布具の拡大正面図、（ロ）は本願発明の実施例２における液体化粧料塗布具の部分断面側面図である。
【図６】図６は、本願発明の実施例２における液体化粧料塗布具の製造工程を示す模式図である。
【図７】図７（イ）は本願発明の実施例３における液体化粧料塗布具の拡大正面図、（ロ）は本願発明の実施例３における液体化粧料塗布具の拡大側面図である。
【図８】図８は、本願発明の実施例３における液体化粧料塗布具の製造工程を示す模式図である。
【図９】図９（イ）は本願発明の実施例４における液体化粧料塗布具の拡大正面図、（ロ）は本願発明の実施例４における液体化粧料塗布具の部分断面側面図である。
【図１０】図１０は、本願発明の実施例４における液体化粧料塗布具の製造工程を示す模式図である。
【発明を実施するための形態】
【００２１】
多様な使用者の使用感、リップグロス等の液体化粧料の性状、及び塗布すべき部分の表面状態に合わせて最適な塗布部を提供することができるように、液体化粧料塗布具の塗布部を複数の塗布部分割体を一体にして形成することで実現した。
【実施例１】
【００２２】
図１において示すのは、本願発明の実施例１である液体化粧料塗布具１０ａを具える液体化粧料塗布容器１である。そして、該液体化粧料塗布容器１は、その内部で液体化粧料であるリップグロス３を貯留するとともに、その開口部４では、後述する本願発明の実施例１である液体化粧料塗布具１０ａを構成する塗布部１２ａと軸部１１の表面に密着自在となってそれらの表面に過剰に付着したリップグロス３を拭去するシゴキ５を内装するとともに、その外周面に雄ネジ部６を螺設してなる塗布容器本体２と、その開口部８の内周面に前記塗布容器本体２の開口部４の外周面に螺設する雄ネジ部６と螺合する雌ネジ部９を螺設するものであって、本願発明の実施例１である液体化粧料塗布具１０ａを塗布部１２ａとともに構成する軸部１１の根元部１１ａを保持してなるキャップ７（図２及び図３参照）とから構成されるものである。
【００２３】
そして、本願発明の実施例１である液体化粧料塗布具１０ａは、後端の根元部１１ａをキャップ７に保持するとともに、先端に固持部１１ｂを有する軸部１１と、該軸部１１の固持部１１ｂにおいて被固持部１５を固持させてなる塗布部１２ａとからなるものである。
【００２４】
さらに、該塗布部１２ａは、平坦な塗布面１４ａと被固持部１５をなす被固持部分１６とを成形してなる二つの塗布部分割体１３ａ、１３ａを一体にしてなるものである。
【００２５】
ここで、塗布部１２ａを形成する塗布面１４ａ、１４ａについては、該塗布面１４ａの材質や硬度を適宜選択し、また静電植毛等の表面加工を施すことによって、使用者の使用感、リップグロスの性状、及び唇の表面状態に合わせて最適な塗布部１２ａとすることができる。
【００２６】
そこで、該本願発明の実施例１である液体化粧料塗布体１０ａは以下のようにして製造するものである。すなわち、図４において示すように、一体となって塗布部１２ａを形成する二つの塗布部分割体１３ａ、１３ａは、平坦な塗布面１４ａ、１４ａと被固持部１５をなす被固持部分１６、１６とを一体に成形してなるものである。
そして、二つの塗布部分割体１３ａ、１３ａを塗布面１４ａ、１４ａ及び被固持部分１６、１６同士を合わせるようにして一体とするものである。なお、二つの塗布部分割体１３ａ、１３ａを一体にする際には一方の塗布部分割体１３ａに突設された係止突起１７と他方の塗布部分割体１３ａに凹設された係止凹部１８とを互いに嵌合させることで正確に位置合わせができるものである。
その上で、該塗布部１２ａの被固持部１５を軸部１１の固持部１１ｂに挿嵌して固持させることによって、本願発明の実施例１である液体化粧料塗布具１０ａとなるものである。
【００２７】
本願発明の実施例１である液体化粧料塗布具１０ａは以上の構成を具えるので、該液体化粧料塗布具１０ａの塗布部１２ａは、使用者の使用感、リップグロスの性状、及び唇の表面状態に合わせて最適なものとなる。
さらに、該塗布面１４ａから形成される塗布部１２ａを唇に押し当てることで、該塗布部１２ａは唇に密着するように変形するものである。
その結果、塗布部１２ａは、該塗布部１２ａを形成する塗布面１４ａ、１４ａに付着したリップグロス３を唇の表面に確実に塗布することができるものとなる。
【実施例２】
【００２８】
次に、図５において示すものは、本願発明の実施例２である液体化粧料塗布具１０ｂである。そして、該液体化粧料塗布具１０ｂは、本願発明の実施例１である液体化粧料塗布具１０ａと主たる構成は同様であり、後端の根元部１１ａをキャップ７に保持するとともに、先端に固持部１１ｂを有する軸部１１と、該軸部１１の固持部１１ｂにおいて被固持部１５を固持させてなる塗布部１２ｂとからなる点で共通するものである。
【００２９】
さらに、本願発明の実施例２である液体化粧料塗布具１０ｂの塗布部１２ｂを形成する塗布面１４ｂ、１４ｂ’については、実施例１の液体化粧料塗布具１０ａの塗布部１２ａと同様に、該塗布面１４ｂ、１４ｂ’の材質や硬度を適宜選択し、また静電植毛等の表面加工を施すことによって、使用者の使用感、リップグロス３の性状、及び唇の表面状態に合わせて最適な塗布部１２ｂとすることができる。
【００３０】
しかしながら、本願発明の実施例２である液体化粧料塗布具１０ｂは、その塗布部１２ｂを一体に形成する二つの塗布分割体１３ｂ、１３ｂ’のうち、一方の塗布部分割体１３ｂ’は、平坦面である塗布面１４ｂ’に孔１９を穿設してなる点で、本願発明の実施例１である液体化粧料塗布具１０ａとは相違するものである。
その結果、本願発明の実施例２である液体化粧料塗布具１０ｂにおいては、該塗布部１２ｂの塗布面１４ｂ’に穿設される孔１９にリップグロス３が保持されるので、塗布部１２ｂに保持されるリップグロス３の量が増大する点でも相違するものである。
【００３１】
そこで、本願発明の実施例２である液体化粧料塗布体１０ｂは以下のようにして製造するものである。すなわち、図６において示すように、実施例１の液体化粧料塗布具１０ａと同様に、一体となって塗布部１２ｂを形成する二つの塗布部分割体１３ｂ、１３ｂ’は、塗布面１４ｂ、１４ｂ’と被固持部１５をなす被固持部分１６、１６とを一体に成形してなるものである。さらに、二つの塗布部分割体１３ｂ、１３ｂ’において、一方の塗布部分割体１３ｂ’の平坦面である塗布面１４ｂ’に孔１９を穿設してなるものである。
そして、該二つの塗布部分割体１３ｂ、１３ｂ’を塗布面１４ｂ、１４ｂ’及び被固持部分１６、１６同士を合わせるようにして一体とするものである。すなわち、塗布部１２ｂでは、一方の塗布面１４ｂ’は孔１９が穿設されるものとなる。なお、二つの塗布部分割体１３ｂ、１３ｂ’を一体にする際には一方の塗布部分割体１３ｂに突設された係止突起１７と他方の塗布部分割体１３ｂ’に凹設された係止凹部１８とを互いに嵌合することで正確に位置合わせができるものである。
その上で、該塗布部１２ｂの被固持部１５を軸部１１の固持部１１ｂに挿嵌して固持させることによって、本願発明の実施例２である液体化粧料塗布具１０ｂとなるものである。
【００３２】
本願発明の実施例２である液体化粧料塗布具１０ｂは以上の構成を具えるので、実施例１である液体化粧料塗布具１０ａと同様に、該液体化粧料塗布具１０ｂの塗布部１４ｂ’は、使用者の使用感、リップグロスの性状、及び唇の表面状態に合わせて最適なものとなる。
さらに、該塗布面１４ｂ、１４ｂ’から形成される塗布部１２ｂを唇に押し当てることで、該塗布部１２ｂは唇に密着するように変形する。
その結果、塗布部１２ｂは、該塗布部１２ｂを形成する塗布面１４ｂ、１４ｂ’に付着したリップグロス３、及び塗布面１４ｂ’に穿設されている孔１９内に保持されるリップグロス３を唇の表面に厚く、しかも確実に塗布することができるものとなる。
【実施例３】
【００３３】
次に、図７において示すものは、本願発明の実施例３である液体化粧料塗布具１０ｃである。そして、該液体化粧料塗布具１０ｃは、本願発明の実施例１及び２である液体化粧料塗布具１０ａ、１０ｂと主たる構成は同様であり、後端の根元部１１ａをキャップ７に保持するとともに、先端に固持部１１ｂを有する軸部１１と、該軸部１１の固持部１１ｂにおいて被固持部１５を固持させてなる塗布部１２ｃとからなる点で共通するものである。
【００３４】
さらに、本願発明の実施例３である液体化粧料塗布具１０ｃの塗布部１２ｃを形成する塗布面１４ｃ、１４ｃ’については、実施例１及び２の液体化粧料塗布具１０ａ、１０ｂの塗布部１２ａ、１２ｂと同様に、静電植毛等の表面加工を施すことによって、使用者の使用感、リップグロス等の性状、及び唇の表面状態に合わせて最適な塗布部１２ｃとすることができる。
【００３５】
しかしながら、本願発明の実施例３である液体化粧料塗布具１０ｃは、その塗布部１２ｃを一体に形成する二つの塗布分割体１３ｃ、１３ｃ’のうち、一方の塗布部分割体１３ｃにおいて少なくとも塗布面１４ｃは発泡材やゴム等の柔軟素材からなるものとし、他方の塗布部分割体１３ｃ’における塗布面１４ｃ’を強硬素材からなるものであって、該他方の塗布面１４ｃ’が一方の塗布面１４ｃの過剰な変形を抑制するように補強している点で、本願発明の実施例１及び２である液体化粧料塗布具１０ａ及び１０ｂとは相違するものである。
【００３６】
そこで、本願発明の実施例３である液体化粧料塗布体１０ｃは以下のようにして製造するものである。すなわち、図８において示すように、実施例１及び２の液体化粧料塗布具１０ａ及び１０ｂと同様に、一体となって塗布部１２ｃを形成する二つの塗布部分割体１３ｃ、１３ｃ’は、塗布面１４ｃ、１４ｃ’と被固持部１５をなす被固持部分１６、１６とを一体に成形してなるものである。さらに、二つの塗布部分割体１３ｃ、１３ｃ’において、一方の塗布部分割体１３ｃは、少なくとも塗布面１４ｃは発泡材やゴム等の柔軟素材からなるものであって、該塗布面１４ｃの背面には後述する他方の塗布部分割体１３ｃ’の塗布面１４ｃ’が嵌合する嵌合溝２１が配設されている。そして、他方の塗布部分割体１３ｃ’の少なくとも塗布面１４ｃ’は強硬素材からなるものである。
そして、該二つの塗布部分割体１３ｃ、１３ｃ’を塗布面１４ｃ、１４ｃ’及び被固持部分１６、１６同士を合わせるとともに、該塗布部分割体１３ｃ’の塗布面１４ｃ’は、一方の塗布部分割体１３ｃの塗布面１４ｃの後背に配設される嵌合溝２１へ嵌合させて一体とするものである。なお、二つの塗布部分割体１３ｃ、１３ｃ’を一体にする際には一方の塗布部分割体１３ｃに突設された係止突起１７と他方の塗布部分割体１３ｃ’に凹設された係止凹部１８とを互いに嵌合することで正確に位置合わせができるものである。
その上で、該塗布部１２ｃの被固持部１５を軸部１１の固持部１１ｂに挿嵌して固持させることによって、本願発明の実施例３である液体化粧料塗布具１０ｃとなるものである。
【００３７】
本願発明の実施例３である液体化粧料塗布具１０ｃは以上の構成を具えるので、実施例１及び２である液体化粧料塗布具１０ａ及び１０ｂと同様に、該液体化粧料塗布具１０ｃの塗布部１４ｃ、１４ｃ’を使用者の使用感、リップグロス３の性状、及び唇の表面状態に合わせて最適なものとなる。
さらに、該塗布面１４ｃから形成される塗布部１２ｃを唇に押し当てることで、柔軟素材からなる塗布面１４ｃと強硬素材からなる塗布面１４ｃ’との均衡により該塗布部１２ｃは唇に密着するように変形するものである。その結果、塗布部１２ｃは、該塗布部１２ｃを形成する塗布面１４ｃ、１４ｃ’に付着したリップグロス３を唇の表面に確実に塗布することができるものとなる。
【実施例４】
【００３８】
次に、図９において示すものは、本願発明の実施例４である液体化粧料塗布具１０ｄである。そして、該液体化粧料塗布具１０ｄは、本願発明の実施例１及び２である液体化粧料塗布具１０ａ、１０ｂ及び１０ｃと主たる構成は同様であり、後端の根元部１１ａをキャップ７に保持するとともに、先端に固持部１１ｂを有する軸部１１と、該軸部１１の固持部１１ｂにおいて被固持部１５を固持させてなる塗布部１２ｄとからなる点で共通するものである。
【００３９】
さらに、本願発明の実施例４である液体化粧料塗布具１０ｄの塗布部１２ｄを形成する塗布面１４ｄ、１４ｄ’については、実施例１、２及び３の液体化粧料塗布具１０ａ、１０ｂ、１０ｃの塗布部１２ａ、１２ｂ、１２ｃと同様に、該塗布面１４ｄ’の材質や硬度を適宜選択し、また静電植毛等の表面加工を施すことによって、使用者の使用感、リップグロス３の性状、及び唇の表面状態に合わせて最適な塗布部１４ｄ’とすることができる。
【００４０】
しかしながら、本願発明の実施例４である液体化粧料塗布具１０ｄは、その塗布部１２ｄを一体に形成する二つの塗布部分割体１３ｄ、１３ｄ’のうち、一方の塗布部分割体１３ｄの平坦面である塗布面１４ｄに吐出孔２２が穿設されており、また他方の塗布部分割体１３ｄ’の塗布面１４ｄは一体となる一方の塗布部分割体１３ｄと反対側に膨出するように湾曲面状となるものである。そのため、塗布部分割体１３ｄ、１３ｄ’を一体として塗布部１２とすると、塗布部１２ｄ内にリップグロス３を貯留する中空部２０が形成され、そして塗布部１２ｄに保持されるリップグロス３の量が著しく増大する点で、本願発明の実施例１、２及び３である液体化粧料塗布具１０ａ、１０ｂ及び１０ｃとは相違するものである。
【００４１】
そこで、本願発明の実施例４である液体化粧料塗布体１０ｄは以下のようにして製造されるものである。すなわち、図１０において示すように、実施例１、２及び３の液体化粧料塗布具１０ａ、１０ｂ及び１０ｃと同様に、一体となって塗布部１２ｄを形成する二つの塗布部分割体１３ｄ、１３ｄ’は、塗布面１４ｄ、１４ｄ’と被固持部１５をなす被固持部分１６、１６とを一体に成形してなるものである。さらに、二つの塗布部分割体１３ｄ、１３ｄ’において、一方の塗布部分割体１３ｄの平坦面である塗布面１４ｄ’には吐出孔２２が穿設されているものである。また、他方の塗布部分割体１３ｄ’の塗布面１４ｄ’は、一体となる一方の塗布部分割体１３ｄと反対側に膨出するように湾曲面状となるものである。
そして、該二つの塗布部分割体１３ｄ、１３ｄ’を塗布面１４ｄ、１４ｄ’及び被固持部分１６、１６同士を合わせて一体とするものであって、塗布部１２ｄ内には中空部２０が形成されるとともに、該中空部２０は吐出孔２２を通じて外部と連通するものである。なお、二つの塗布部分割体１３ｄ、１３ｄ’を一体にする際には、一方の塗布部分割体１３ｄに突設された係止突起１７と他方の塗布部分割体１３ｄ’に凹設された係止凹部１８とを互いに嵌合することで正確に位置合わせができるものである。
その上で、該塗布部１２ｄの被固持部１５を軸部１１の固持部１１ｂに挿嵌して固持させることによって、本願発明の実施例４である液体化粧料塗布具１０ｄとなるものである。
【００４２】
本願発明の実施例４である液体化粧料塗布具１０ｄは以上の構成を具えるので、実施例１、２及び３である液体化粧料塗布具１０ａ、１０ｂ及び１０ｃと同様に、該液体化粧料塗布具１０ｄの塗布部１４ｄは、使用者の使用感、リップグロス３の性状、及び唇の表面状態に合わせて最適なものとなる。
さらに、該塗布面１４ｄから形成される塗布部１２ｄを唇に押し当てることで、該塗布部１２ｄは唇に密着するように変形するものである。
その結果、塗布部１２ｄは、その塗布面１４ｄ’に穿設される吐出孔２２から中空部２０内に貯留するリップグロス３を吐出して唇の表面を広範囲にわたって、厚く、しかも確実に塗布することができるものとなる。
【００４３】
なお、塗布部１２ｄ内に中空部２０を形成する塗布面１４ｄ、１４ｄ’同士は互いに分離可能であるので、塗布容器本体２内において壁面に塗布部１２ｄを押し付ける等して変形させることによって、該塗布面１４ｄ、１４ｄ’間に容易に空隙が形成されるものである。その結果、塗布容器本体２内に貯留するリップグロス３は該空隙を通して中空部３内に迅速且つ容易に収容されるものとなる。
【産業上の利用可能性】
【００４４】
本願発明の液体化粧料塗布体は一度に広範囲にわたり、しかも均一に液体化粧料を塗布できるので、フェイスケア用品の塗布体にも適用できる。
【符号の説明】
【００４５】
１    液体化粧料塗布容器
２    塗布容器本体
３    リップグロス
４    開口部
５    シゴキ
６    雄ネジ部
７    キャップ
８    開口部
９    雌ネジ部
１０ａ、１０ｂ、１０ｃ、１０ｄ    液体化粧料塗布具
１１    軸部
１１ａ    根元部
１１ｂ    固持部
１２ａ、１２ｂ、１２ｃ、１２ｄ    塗布部
１３ａ、１３ｂ、１３ｂ’、１３ｃ、１３ｃ’、１３ｄ、１３ｄ’    塗布部分割体
１４ａ、１４ｂ、１４ｂ’、１４ｃ、１４ｃ’、１４ｄ、１４ｄ’    塗布面
１５    被固持部
１６    被固持部分
１７    係止突起
１８    係止凹部
１９    孔
２０    中空部
２１    嵌合溝
２２    吐出孔
【図１】
0005720978.tif 000002
【図２】
0005720978.tif 000003
【図３】
0005720978.tif 000004
【図４】
0005720978.tif 000005
【図５】
0005720978.tif 000006
【図６】
0005720978.tif 000007
【図７】
0005720978.tif 000008
【図８】
0005720978.tif 000009
【図９】
0005720978.tif 000010
【図１０】
0005720978.tif 000011